(57)【要約】【課題】前面側及び背面側商品収納部間の視認性を向上させることができるとともに、前面側及び背面側に亘って各商品収納部を利用することのできるオープンショーケースを提供する。【解決手段】ショーケース本体１の幅方向両側に通風路５の底面側と上面側とを連通する縦ダクト６，７を立設し、前面側及び背面側にそれぞれ設けた第１の商品収納部２を各縦ダクト６，７の間を介して互いに前後方向に連通させるようにしたので、各第１の商品収納部２間が透明板等によって仕切られることがなく、各第１の商品収納部２間の視認性を格段に向上させることができる。また、各第１の商品収納部２間は互いに前後方向に遮られることがないので、例えば各第１の商品収納部２に亘って大型の商品を載置したり、或いは前面側及び背面側の一方から他方の商品収納部２に対して商品の出し入れを行うこともできる。【選択図】図１
2005055069.tif 000002
【特許請求の範囲】
【請求項１】
前面及び背面を開口したショーケース本体と、ショーケース本体内の前面側及び背面側にそれぞれ設けられた商品収納部と、各商品収納部内に設けられた商品棚と、内部に冷却器及び送風機を配置した通風路とを備え、ショーケース本体の前面及び背面開口部の下部に設けた空気吸入口から通風路内に吸入した空気を冷却器によって冷却し、各商品収納部内に吐出するようにしたオープンショーケースにおいて、
前記ショーケース本体の幅方向両側に、ショーケース本体の底面側に配置される通風路と上面側に配置される通風路とを連通する縦ダクトをそれぞれ設け、
各商品収納部を各縦ダクトの間を介して互いに前後方向に連通させた
ことを特徴とするオープンショーケース。
【請求項２】
前記商品棚を各商品収納部の連通部分を介して互いに連続するように形成した
ことを特徴とする請求項１記載のオープンショーケース。
【請求項３】
前記底面側通風路内に、底面側通風路の空気を各縦ダクトに分流させる分流部材を設けた
ことを特徴とする請求項１または２記載のオープンショーケース。
【請求項４】
前記分流部材を底面側通風路内の幅方向略中央から両側方に向かって上り傾斜をなすように形成した
ことを特徴とする請求項３記載のオープンショーケース。
【請求項５】
前記各商品収納部の上面に上面側通風路の空気を各商品収納部に吐出する複数の空気吐出口を幅方向複数箇所に設け、
上面側通風路の幅方向略中央には上面側通風路内を幅方向に仕切る仕切部材を設けた
ことを特徴とする請求項１、２、３または４記載のオープンショーケース。
【請求項６】
前記上面側通風路内の幅方向複数箇所に、上面側通風路内を流通する空気を空気吐出口側に案内する空気案内部材を設けた
ことを特徴とする請求項５記載のオープンショーケース。
【請求項７】
前記ショーケース本体の幅方向少なくとも一側面側に商品収納部を設けた
ことを特徴とする請求項１、２、３、４、５または６記載のオープンショーケース。
【請求項８】
前記各縦ダクトの側面に各商品収納部に空気を吐出する空気吐出口を設けた
ことを特徴とする請求項１、２、３、４、５、６または７記載のオープンショーケース。
【発明の詳細な説明】
【技術分野】
【０００１】
本発明は、コンビニエンスストア、スーパーマーケット等の店舗に設置されるオープンショーケースに関するものである。
【背景技術】
【０００２】
従来、この種のオープンショーケースとしては、前面及び背面を開口したショーケース本体と、ショーケース本体内の前面側及び背面側にそれぞれ設けられた商品収納部と、各商品収納部内に設けられた商品棚と、内部に冷却器及び送風機を配置した通風路とを備え、ショーケース本体の前面及び背面開口部の下部に設けた空気吸入口から通風路内に吸入した空気を冷却器によって冷却し、各商品収納部内に吐出するようにしたものが知られている（例えば、特許文献１及び２参照。）。
【０００３】
また、前記オープンショーケースにおいては、前面側の商品収納部と背面側の商品収納部との間を透明板で仕切ることにより、ショーケース本体の前後何れの方向からも透明板を介して各商品収納部内の商品を見渡せるようにしている。
【特許文献１】特開平８−１８７１４４号公報
【特許文献２】特開平１１−５１５４０号公報
【発明の開示】
【発明が解決しようとする課題】
【０００４】
しかしながら、前記オープンショーケースでは、各商品収納部間を透明板で仕切るようにしているため、透明板の汚れや反射等により、各商品収納部間の視認性は必ずしも良好とはいえない。また、各商品収納部間は透明板によって遮られているため、各商品収納部間に亘って大型の商品を収納したり、或いは前面側及び背面側の一方から他方の商品収納部に対して商品の出し入れを行うなど、前面側及び背面側に亘って各商品収納部を利用することができないという問題点があった。
【０００５】
本発明は前記問題点に鑑みてなされたものであり、その目的とするところは、前面側及び背面側商品収納部間の視認性を向上させることができるとともに、前面側及び背面側に亘って各商品収納部を利用することのできるオープンショーケースを提供することにある。
【課題を解決するための手段】
【０００６】
本発明は前記目的を達成するために、請求項１では、前面及び背面を開口したショーケース本体と、ショーケース本体内の前面側及び背面側にそれぞれ設けられた商品収納部と、各商品収納部内に設けられた商品棚と、内部に冷却器及び送風機を配置した通風路とを備え、ショーケース本体の前面及び背面開口部の下部に設けた空気吸入口から通風路内に吸入した空気を冷却器によって冷却し、各商品収納部内に吐出するようにしたオープンショーケースにおいて、前記ショーケース本体の幅方向両側に、ショーケース本体の底面側に配置される通風路と上面側に配置される通風路とを連通する縦ダクトをそれぞれ設け、各商品収納部を各縦ダクトの間を介して互いに前後方向に連通させている。これにより、各商品収納部内を前記連通部分を介してショーケース本体の前後何れの方向からも見渡すことが可能となり、各商品収納部間が互いに前後方向に遮られることもない。また、底面側通風路の空気が幅方向一対の縦ダクトを介して上面側通風路に流通することから、上面側通風路に流入する空気の風量がショーケース本体の幅方向一方に偏ることがない。
【０００７】
また、請求項２では、請求項１記載のオープンショーケースにおいて、前記商品棚を各商品収納部の連通部分を介して互いに連続するように形成している。これにより、請求項１の作用に加え、各商品収納部に亘って商品棚が連続することから、各商品収納部内の商品棚の商品陳列スペースが各商品収納部の連通部分まで拡大する。
【０００８】
また、請求項３では、請求項１または２記載のオープンショーケースにおいて、前記底面側通風路内に、底面側通風路の空気を各縦ダクトに分流させる分流部材を設けている。これにより、請求項１または２の作用に加え、底面側通風路の空気が分流部材によって各縦ダクト側に分流することから、底面側通風路を各縦ダクトにそれぞれ対応するように分割形成する必要がない。
【０００９】
また、請求項４では、請求項３記載のオープンショーケースにおいて、前記分流部材を底面側通風路内の幅方向略中央から両側方に向かって上り傾斜をなすように形成している。これにより、請求項３の作用に加え、分流部材が各縦ダクト間の略中央から各縦ダクトに向かって傾斜をなしていることから、底面側通風路の空気が各縦ダクト側に均一に分散する。
【００１０】
また、請求項５では、請求項１、２、３または４記載のオープンショーケースにおいて、前記各商品収納部の上面に上面側通風路の空気を各商品収納部に吐出する複数の空気吐出口を幅方向複数箇所に設け、上面側通風路の幅方向略中央には上面側通風路内を幅方向に仕切る仕切部材を設けている。これにより、請求項１、２または３の作用に加え、上面側通風路内が幅方向一端側と他端側に仕切られていることから、各縦ダクト側から上面側通風路内に流入した空気が互いに干渉することがなく、それぞれ上面側通風路の幅方向一端側及び他端側から吐出される。
【００１１】
また、請求項６では、請求項５記載のオープンショーケースにおいて、前記上面側通風路内の幅方向複数箇所に、上面側通風路内を流通する空気を空気吐出口側に案内する空気案内部材を設けている。これにより、請求項６の作用に加え、上面側通風路内を流通する空気が各空気案内部材によって各空気吐出口側に案内されることから、上面側通風路内の空気が各空気吐出口から均一の風量で吐出される。
【００１２】
また、請求項７では、請求項１、２、３、４、５または６記載のオープンショーケースにおいて、前記ショーケース本体の幅方向少なくとも一側面側に商品収納部を設けている。これにより、請求項１、２、３、４、５または６の作用に加え、ショーケース本体の前面側及び背面側のみならず、幅方向少なくとも一側面側にも商品の陳列が可能となる。
【００１３】
また、請求項８では、請求項１、２、３、４、５、６または７記載のオープンショーケースにおいて、前記各縦ダクトの側面に各商品収納部に空気を吐出する空気吐出口を設けている。これにより、請求項１、２、３、４、５、６または７の作用に加え、各縦ダクトの側面に設けた空気吐出口から各商品収納部内に空気が吐出されることから、各商品収納部内の商品棚に側方から冷気が流通する。
【発明の効果】
【００１４】
以上説明したように、請求項１のオープンショーケースによれば、各商品収納部内をショーケース本体の前後何れの方向からも見渡すことができるとともに、各商品収納部間が透明板等によって仕切られることもないので、各商品収納部間の視認性を格段に向上させることができ、ショーケース本体内に明るく開放感のある商品収納空間を形成することができる。これにより、商品の展示効果を高めることができるので、買物客の購買意欲を向上させることができる。
【００１５】
また、各商品収納部間は互いに前後方向に遮られることがないので、例えば各商品収納部に亘って大型の商品を載置したり、或いは前面側及び背面側の一方から他方の商品収納部に対して商品の出し入れを行うなど、前面側及び背面側に亘って各商品収納部を有効に利用することができ、店舗の作業者や買物客に対する利便性の向上を図ることができる。
【００１６】
更に、上面側通風路に流入する空気の風量がショーケース本体の幅方向一方に偏ることがないので、上面側通風路の空気を各商品収納部に幅方向に均一に吐出することができ、各商品収納部を互いに前後方向に連通させた構造においても、各商品収納部内の冷却ムラを確実に防止することができる。
【００１７】
また、請求項２のオープンショーケースによれば、請求項１の効果に加え、各商品収納部の商品棚の商品陳列スペースを各商品収納部の連通部分まで拡大することができるので、収納効率を格段に向上させることができる。
【００１８】
また、請求項３のオープンショーケースによれば、請求項１または２の効果に加え、底面側通風路を各縦ダクトにそれぞれ対応するように分割形成する必要がないので、底面側通風路の構造を複雑化させることがないという利点がある。
【００１９】
また、請求項４のオープンショーケースによれば、請求項３の効果に加え、底面側通風路の空気を各縦ダクト側に均一に分散させることができるので、各縦ダクトに流入する空気を簡単な構成により確実に分流させることができる。
【００２０】
また、請求項５のオープンショーケースによれば、請求項１、２、３または４の効果に加え、各縦ダクト側から上面側通風路内に流入した空気が互いに干渉することがないので、それぞれ上面側通風路の幅方向一端側及び他端側から吐出させることができ、上面側通風路から各商品収納部内に吐出される空気の乱れを確実に防止することができる。
【００２１】
また、請求項６のオープンショーケースによれば、請求項５の効果に加え、上面側通風路内の空気を各空気吐出口から均一の風量で吐出させることができるので、各商品収納部内の冷却ムラの防止に効果的である。
【００２２】
また、請求項７のオープンショーケースによれば、請求項１、２、３、４、５または６の効果に加え、ショーケース本体の前面側及び背面側のみならず、幅方向少なくとも一側面側にも商品の陳列が可能となるので、商品の収納効率の向上を図ることができる。
【００２３】
また、請求項８のオープンショーケースによれば、請求項１、２、３、４、５、６または７の効果に加え、各商品収納部内の商品棚に側方から冷気を流通させることができるので、各商品収納部内の冷却効率の向上を図ることができる。
【発明を実施するための最良の形態】
【００２４】
図１乃至図４は本発明の一実施形態を示すもので、図１はオープンショーケースの斜視図、図２はその正面図、図３は正面断面図、図４はその側面断面図である。
【００２５】
このオープンショーケースは前面、背面及び幅方向一側面を開口したショーケース本体１と、ショーケース本体１内の前面側及び背面側にそれぞれ設けられた第１の商品収納部２と、ショーケース本体１内の幅方向一側面側に設けられた第２の商品収納部３と、各商品収納部２，３内に設けられた複数の商品棚４と、ショーケース本体１の底面側、幅方向両側面側及び上面側にそれぞれ形成された通風路５と、第１の商品収納部２の幅方向両側に立設された縦ダクト６，７と、底面側通風路６内に配置された冷却器８及び送風機９とを備えている。
【００２６】
ショーケース本体１は、その上面を覆う断熱性の天板１０と、ショーケース本体１の前面、背面、一側面の下部及び底面側を覆う断熱壁１１と、ショーケース本体１の幅方向他側面を覆う側板１２と、各第１の商品収納部２の上面を覆う上面板１３と、各第１の商品収納部２の底面を覆う第１の底面板１４と、第２の商品収納部３の底面を覆う第２の底面板１５とからなり、ショーケース本体１の開口部下端には底面側通風路５内に連通する空気吸入口１ａが各商品収納部２，３，４の周縁に亘って設けられている。また、ショーケース本体１の下部には機械室１ｂが設けられ、機械室１ｂ内には圧縮機、凝縮器等の冷凍機器（図示せず）が収容されている。
【００２７】
各第１の商品収納部２は、それぞれショーケース本体１の前面側及び背面側開口部の内側に形成され、各縦ダクト６，７の間を通じて互いに前後方向に連通している。
【００２８】
第２の商品収納部３は、ショーケース本体１の一側面側開口部の内側に形成され、一方の縦ダクト６の前後方向両側を通じて各第１の商品収納部２にそれぞれ連通している。
【００２９】
各商品棚４は各商品収納部２，３内に上下複数段に設けられ、各段の商品棚４は互いに各商品収納部２，３に亘って連続するように形成されている。また、各第１の商品収納部２の各商品棚４は各縦ダクト６，７の間を通じて互いに前後方向に連続するように形成されている。この場合、各第１の商品収納部２の商品棚４は、図示したように互いに別体の棚板４ａ同士を近接させるようにしてもよいが、互いに一体に形成された棚板によって連続するように構成してもよい。
【００３０】
通風路５は、その底面側を各底面板１４，１５と断熱壁１１との間に形成され、その上面側は天板１０と上面板１３との間に形成されている。通風路５の底面側及び上面側は互いに各縦ダクト６，７を介して連通しており、底面側通風路５内の空気は各縦ダクト６，７に流入するようになっている。この場合、底面側通風路５内の上部には底面側通風路５の空気を各縦ダクト６，７に分流する分流板１６が設けられ、分流板１６は各縦ダクト６，７間の中央から各縦ダクト６，７に向かって上り傾斜をなすように形成されている。上面板１３には各第１の商品収納部２内に臨む多数の空気吐出口１３ａが設けられ、各空気吐出口１３ａは上面側通風路５の前後方向及び幅方向に配列されている。上面側通風路５内の幅方向中央には仕切板５ａが設けられ、仕切板５ａによって上面側通風路５内が幅方向一端側と他端側に仕切られている。また、上面側通風路５内には天板１０の下面から下方に延びる複数の空気案内板５ｂが設けられ、各空気案内板５ｂは互いに上面側通風路５の幅方向に間隔をおいて配置されている。この場合、各空気案内板５ｂは互いに上下方向に等しい長さで形成されていてもよいが、例えば上流側よりも下流側の空気案内板５ｂを長く形成するなど、互いに異なった長さに形成するようにしてもよい。
【００３１】
各縦ダクト６，７は、上端側から下端側に向かって前後方向の幅が徐々に広くなる縦長中空状に形成され、その上端及び下端をそれぞれ上面側通風路５及び底面側通風路５に連通させている。各縦ダクト６，７の一側面にはそれぞれ各第１の商品収納部２内に臨む多数の空気吐出口６ａ，７ａが設けられ、一方の縦ダクト６の他側面には第２の商品収納部３内に臨む多数の空気吐出口６ｂが設けられている。この場合、一方の縦ダクト６は両側面から空気を吐出するようになっているため、一側面のみから空気を吐出する他方の縦ダクト６よりも幅が広く形成されている。
【００３２】
冷却器８は機械室１ｂ内の冷凍機器に接続された蒸発器からなり、底面側通風路５内に計２つ設けられている。各冷却器８は互いに前後方向に隣接して配置され、分流板１６の下方に位置している。
【００３３】
送風機９は底面側通風路５内に計２つ設けられ、それぞれ各第１の商品収納部２の第１の底面板１５の下方に配置されている。
【００３４】
以上のように構成されたオープンショーケースにおいては、各第１の商品収納部２が互いに前後方向に連通していることから、各第１の商品収納部２内をショーケース本体１の前後何れの方向からも見渡すことができる。この場合、各第１の商品収納部２間は、互いに遮られることなく各商品棚４の棚板４ａを介して連続している。
【００３５】
また、前記オープンショーケースにおいては、空気吸入口１ａから底面側通風路５内に吸入された空気が各冷却器８によって冷却されるとともに、各縦ダクト６，７内の通風路５を介して上面側通風路５まで流通し、各縦ダクト６，７の空気吐出口６ａ，６ｂ，７ａ及び上面板１３の空気吐出口１３ａから各商品収納部２，３内に吐出される。その際、底面側通風路５内の各冷却器８から流出した空気は分流板１６によって各縦ダクト６，７側にそれぞれ分流される。また、上面側通風路５内は仕切板５ａによって幅方向一端側と他端側に仕切られることから、一方の縦ダクト６側から上面側通風路５内に流入した空気は上面側通風路５の幅方向一端側から吐出され、他方の縦ダクト７側から上面側通風路５内に流入した空気は上面側通風路５の幅方向他端側から吐出される。その際、上面側通風路５内を流通する空気は、互いに空気流通方向に間隔をおいて設けられた各空気案内板５ｂによって上面板１３側に案内されることから、上面板１３の各空気吐出口１３ａから均一の風量で吐出される。
【００３６】
このように、本実施形態のオープンショーケースによれば、ショーケース本体１の幅方向両側に通風路５の底面側と上面側とを連通する縦ダクト６，７を立設し、ショーケース本体１の前面側及び背面側にそれぞれ設けた第１の商品収納部２を各縦ダクト６，７の間を介して互いに前後方向に連通させるようにしたので、各第１の商品収納部２内をショーケース本体１の前後何れの方向からも見渡すことができる。この場合、各第１の商品収納部２間は透明板等によって仕切られることがないので、各第１の商品収納部２間の視認性を格段に向上させることができるとともに、ショーケース本体１内に明るく開放感のある商品収納空間を形成することができる。これにより、商品の展示効果を高めることができるので、買物客の購買意欲を向上させることができるという利点がある。
【００３７】
また、各第１の商品収納部２間は互いに前後方向に遮られることがないので、例えば各第１の商品収納部２に亘って大型の商品を載置したり、或いはショーケース本体１の前後に移動せずに前面側及び背面側の一方から他方の商品収納部２に対して商品の出し入れを行うなど、前面側及び背面側に亘って各第１の商品収納部２を有効に利用することができ、店舗の作業者や買物客に対する利便性の向上を図ることができる。
【００３８】
この場合、各第１の商品収納部２の商品棚４を互いに前後方向に連続するように形成したので、各商品棚４の商品陳列スペースを各第１の商品収納部２の連通部分まで拡大することができ、収納効率を格段に向上させることができる。
【００３９】
また、底面側通風路５の空気を幅方向一対の縦ダクト６，７を介して上面側通風路５に流通させるようにしたので、上面側通風路５に流入する空気の風量がショーケース本体１の幅方向一方に偏ることがない。これにより、上面側通風路５の空気を各第１の商品収納部２内に幅方向に均一に吐出することができるので、各第１の商品収納部２を互いに前後方向に連通させた構造においても、各第１の商品収納部２内の冷却ムラを確実に防止することができる。
【００４０】
更に、底面側通風路５の空気を分流板１６によって各縦ダクト６，７側に分流させるようにしたので、底面側通風路５を各縦ダクト６，７にそれぞれ対応するように分割形成する必要がなく、底面側通風路５の構造を複雑化させることがないという利点がある。
【００４１】
この場合、分流板１６を各縦ダクト６，７間の中央から各縦ダクト６，７に向かって傾斜をなすように形成したので、底面側通風路５の空気を各縦ダクト６，７側に均一に分散させることができ、各縦ダクト６，７に流入する空気を簡単な構成により確実に分流させることができる。
【００４２】
また、上面側通風路５内を仕切板５ａによって幅方向一端側と他端側に仕切るようにしたので、各縦ダクト６，７側から上面側通風路５内に流入した空気が互いに干渉することがなく、それぞれ上面側通風路５の幅方向一端側及び他端側から吐出させることができる。従って、上面側通風路５から各第１の商品収納部２内に吐出される空気の乱れを確実に防止することができる。
【００４３】
更に、上面側通風路５内を流通する空気を上面側通風路５の幅方向複数箇所に設けた空気案内板５ｂによって上面板１３側に案内するようにしたので、上面側通風路５内の空気を上面板１３の各空気吐出口１３ａから均一の風量で吐出させることができ、各第１の商品収納部２内の冷却ムラの防止に効果的である。
【００４４】
また、ショーケース本体１の幅方向一側面側に第２の商品収納部３を設けたので、ショーケース本体１の前面側及び背面側のみならず、幅方向一側面側にも商品の陳列が可能となり、商品の収納効率の向上を図ることができる。この場合、第２の商品収納部３をショーケース本体１の幅方向両側にそれぞれ設けるようにしてもよい。
【００４５】
更に、各縦ダクト６，７の側面に設けた空気吐出口６ａ，６ｂ，７ａから各商品収納部２，３内に空気を吐出するようにしたので、各商品収納部２，３内の各商品棚４間に側方から冷気を流通させることができ、各商品収納部２，３内の冷却効率の向上を図ることができる。
【００４６】
尚、前記実施形態では、幅方向一側面側に第２の商品収納部３を備えたものを示したが、本発明は図５及び図６に示すように一側面側の商品収納部を有しない構成のオープンショーケースにも適用することができる。尚、同図において、前記実施形態と同等の構成部分には同一の符号を付して示す。
【００４７】
また、図７に示すように、幅方向一側面側に商品収納部を備えたオープンショーケースＳ1 （以下、端部用ショーケースＳ1 という。）と、幅方向一側面側に商品収納部を備えていないオープンショーケースＳ2 （以下、中間用ショーケースＳ2 という。）とを互いに連結することも可能である。この場合、各オープンショーケースＳ1 ，Ｓ2 の側板１２を取外すことにより、各オープンショーケースＳ1 ，Ｓ2 の第１の商品収納部２を互いに幅方向に連通させることができる。尚、図示していないが、計二台の端部用ショーケースＳ1 同士を直接連結したり、或いは各端部用ショーケースＳ1 の間に少なくとも一台の中間用ショーケースＳ2 を連結することも可能である。
【図面の簡単な説明】
【００４８】
【図１】本発明の一実施形態を示すオープンショーケースの斜視図
【図２】オープンショーケースの正面図
【図３】オープンショーケースの正面断面図
【図４】オープンショーケースの側面断面図
【図５】本発明の他の実施形態を示すオープンショーケースの正面図
【図６】オープンショーケースの正面断面図
【図７】端部側及び中央側のオープンショーケースを連結した状態を示す正面図
【符号の説明】
【００４９】
１…ショーケース本体、１ａ…空気吸入口、２…第１の商品収納部、３…第２の商品収納部、４…商品棚、５…通風路、５ａ…仕切板、５ｂ…空気案内板、６…縦ダクト、６ａ，６ｂ…空気吐出口、７…縦ダクト、７ａ…空気吐出口、８…冷却器、９…送風機、１３ａ…空気吐出口、１６…分流板。
【図１】
2005055069.tif 000003
【図２】
2005055069.tif 000004
【図３】
2005055069.tif 000005
【図４】
2005055069.tif 000006
【図５】
2005055069.tif 000007
【図６】
2005055069.tif 000008
【図７】
2005055069.tif 000009